(57)【特許請求の範囲】
【請求項１】
吸口体ケースに着脱自在に取り付けられ、外周に清掃部材を有する回転清掃体と、前記回転清掃体を駆動する電動機を含む清掃体用駆動源と、前記清掃体用駆動源の駆動力を前記回転清掃体に伝える動力伝達軸受ユニットと、前記回転清掃体に設けられた従動軸継手と、前記動力伝達軸受ユニットに設けられ、前記従動軸継手と着脱自在に連結する主動軸継手と、前記従動軸継手の軸方向端部に設けられる従動側係合部と、前記主動軸継手の軸方向端部に設けられ、前記従動側係合部と係合離脱するように対向配置された主動側係合部を備える電気掃除機の吸口体において、
前記従動軸継手は外径が前記主動軸継手と前記従動軸継手の係合部位に向かって径小となるように傾斜していることを特徴とする電気掃除機の吸口体。
【請求項２】
請求項１に記載された電気掃除機の吸口体において、
前記係合部位では、前記主動軸継手側が前記従動軸継手側よりも外径が径大であること
を特徴とする電気掃除機の吸口体。
【請求項３】
請求項１または２に記載された電気掃除機の吸口体において、
前記動力伝達軸受ユニットは、前記主動軸継手と隣合わせになるプーリーが前記係合部位の反対側に配備することを特徴とする電気掃除機の吸口体。
【請求項４】
吸口体ケースに着脱自在に取り付けられ、外周に清掃部材を有する回転軸方向に延びた回転清掃体と、前記回転清掃体を駆動する電動機を含む清掃体用駆動源と、前記回転清掃体の一端を保持して前記清掃体用駆動源の駆動力を伝える動力伝達軸受ユニットと、前記回転清掃体の他端を回転自在に支持し、かつ前記吸口体ケースに着脱自在に支持される非駆動側軸受と、前記回転清掃体の前記一端に設けられる従動軸継手と、前記動力伝達軸受ユニットに設けられ、前記従動軸継手と着脱自在に連結する主動軸継手と、前記従動軸継手の軸方向端部に設けられた従動側係合部と、前記主動軸継手の軸方向端部に設けられ、前記従動側係合部と係合離脱するように対向配置された主動側係合部を備える電気掃除機の吸口体において、
前記従動軸継手は外径が前記主動軸継手と前記従動軸継手の係合部位に向かって径小となるように傾斜していることを特徴とする電気掃除機の吸口体。
【請求項５】
請求項１〜４の何れかに記載された電気掃除機の吸口体において、
前記主動軸継手は、主動側係合部の内側に前記従動側係合部の端部外周が嵌る保持用受部を有することを特徴とする電気掃除機の吸口体。
【請求項６】
集塵室及び電動送風機を内蔵した掃除機本体と、該掃除機本体に接続されたホース体と、該ホース体に接続された手元操作部と、該手元操作部に接続された延長管と、該延長管に接続された吸口体とを備えた電気掃除機において、
吸口体は、
吸口体ケースに着脱自在に取り付けられ、外周に清掃部材を有する回転清掃体と、
前記回転清掃体を駆動する電動機を含む清掃体用駆動源と、
前記清掃体用駆動源の駆動力を前記回転清掃体に伝える動力伝達軸受ユニットと、
前記回転清掃体に設けられた従動軸継手と、
前記動力伝達軸受ユニットに設けられ、前記従動軸継手と着脱自在に連結する主動軸継手と、
前記従動軸継手の軸方向端部に設けられる従動側係合部と、
前記主動軸継手の軸方向端部に設けられ、前記従動側係合部と係合離脱するように対向配置された主動側係合部を備え、
前記従動軸継手は外径が前記主動軸継手と前記従動軸継手の係合部位に向かって径小となるように傾斜していることを特徴とする電気掃除機の吸口体。
【発明の詳細な説明】
【技術分野】
【０００１】
本発明は、掃除する床面のブラッシングする回転清掃体が備わる吸口体、およびその吸口体を備える電気掃除機に関するものである。
【背景技術】
【０００２】
従来の電気掃除機の吸口体には、回転清掃体を電動機で駆動するものがある。この回転清掃体を電動機で駆動する吸口体には、電動機からの駆動力を伝達するプーリーを備えた動力伝達軸受ユニットが配置されている。回転清掃体の一端側は、前記動力伝達軸受ユニットに係合保持され、他端側は非駆動側軸を介して吸口体に支持さられる構成になっている。
【０００３】
しかし、回転清掃体により、じゅうたん等の床面の塵埃をかき上げて掃除する際、糸屑などが回転清掃体に絡みつく。絡みついた糸屑は、回転清掃体を吸口体から取外し、手やはさみを用いて除去するようにしていた。
【０００４】
そこで、吸口体から回転清掃体の着脱が容易に出来る構造が考えられてきた。
【０００５】
特許第３２４９１８８号特許公報（特許文献）では、回転清掃体の係合部と動力伝達軸受ユニットのどちらか一方に、他方が挿入係合される嵌合穴を設け、回転清掃体である回転ブラシ側の挿入操作のみにより挿入側端部と嵌合穴が係合する構成が提案されている。
【０００６】
しかし、この構成では、回転清掃体に絡みついた糸屑などのごみが移動し、駆動用モータからの駆動力を前記回転清掃体に伝達する駆動ベルトや動力伝達軸受ユニットのプーリーに絡みつき、回転清掃体がロック状態になってしまう場合がある。
【０００７】
また、特許第３０７２２１１号特許公報（特許文献２）では、回転清掃体の係合部を動力伝達軸受ユニットと容易に係合させる事が出来るよう、動力伝達軸受ユニットに軸受ガイドを設ける構成が記載されている。
【０００８】
この構成では、軸受ガイドにより、回転清掃体に絡みついた糸屑などが動力伝達軸受ユニットに移動する事を防ぐ事が出来るが、回転清掃体に絡みついた糸屑などは、前記軸受ガイドの側端部の位置に集まり、除去することは困難である。
【０００９】
【特許文献１】特許第３２４９１８８号特許公報
【特許文献２】特許第３０７２２１１号特許公報
【発明の開示】
【発明が解決しようとする課題】
【００１０】
上記構成の吸口体では、吸口体から回転清掃体を取り外しても、絡みついた糸屑などを除去することは手間がかかる。
【００１１】
また、回転清掃体に絡みついた糸屑などが、回転清掃体に沿って、吸口体の長手方向に対して中央側に移動した場合は吸込まれてしまう。しかし、前記回転清掃体の側端側に移動した場合には、絡みついた糸屑は吸込まれず、そのまま使用することで、より強くからみつき、容易に除去できなくなる。
【００１２】
更に、回転清掃体に絡んだ糸屑などが動力伝達軸受ユニットへ移り込み、動力伝達軸受ユニットの回転軸等に絡み付くと、回転清掃体がロック状態になってしまう場合がある。
【００１３】
本発明は、上記の課題に対処し、糸屑などの絡まりによる回転清掃体のロックが発生し難く、また、回転清掃体に絡みついた糸屑などのごみを容易に除去することが可能な電気掃除機の吸口体を提供することを目的とする。
【課題を解決するための手段】
【００１４】
本発明は、回転清掃体を駆動する電動機を含む清掃体用駆動源と、前記清掃体用駆動源の駆動力を前記回転清掃体に伝える動力伝達軸受ユニットと、前記回転清掃体に設けられた従動軸継手と、前記動力伝達軸受ユニットに設けられ、前記従動軸継手と着脱自在に連結する主動軸継手と、前記従動軸継手の軸方向端部に設けられる従動側係合部と、前記主動軸継手の軸方向端部に設けられ、前記従動側係合部と係合離脱するように対向配置された主動側係合部を備える電気掃除機の吸口体において、前記従動軸継手は外径が前記主動軸継手と前記従動軸継手の係合部位に向かって径小となるように傾斜していることを特徴とする。
【発明の効果】
【００１５】
本発明によれば、主動軸継手、および従動軸継手の外径が主動軸継手と従動軸継手の係合部位に向かって径小になっているので、糸屑などの絡まりが動力伝達軸受ユニットに出来難く、回転清掃体のロックが発生し難い。また、回転清掃体に絡みついた糸屑などのごみを容易に除去できる。
【発明を実施するための最良の形態】
【００１６】
本発明の実施例について、図面を引用して以下に説明する。
【００１７】
図１において、１０１は下ケース、１００は下ケースの上方に配置された上ケースで、この上ケース１００、下ケース１０１によって、吸口体の本体ケースが形成される。
【００１８】
１０４は上ケース１００及び下ケース１０１で覆われた回転清掃体、１０５は回転清掃体１０４を駆動するための駆動用電動機、１０７は吸口体を持ち上げたときに自動的に回転停止するための安全スイッチ、１０８は電動機側プーリー、１０９は減速プーリーを構成する大プーリー、１１０は減速プーリーを構成する小プーリー、１１１は大プーリー１０９と小プーリー１１０を連結するシャフトである。
【００１９】
駆動用電動機１０５によって発生された駆動力を大プーリー１０９と小プーリー１１０を連結するシャフト１１１を介して回転清掃体１０４の回転軸端部に伝達する伝達機構を構成している。
【００２０】
１２０は下ケース１０１の下面側に位置する軸受押さえ部材（図示せず）を開閉するための係止部材であり、上ケース１００と下ケース１０１から張り出した支持部を回動軸とし、組み付けにより上下方向で支持し、係止部材１２０の抜け外れを規制している。
【００２１】
１０２は吸口体の本体内部と外部（掃除機本体）とを連通する空気通路が形成された自在継手のうち吸口体の本体に対して上下方向に回動可能な第１の接続管である。１０３は自在継手のうち前記第１の接続管に対して左右方向に回動可能な第２の接続管である。
【００２２】
図１において、回転清掃体１０４の回転軸に沿う方向を吸口体の左右方向と呼び、この左右方向は通常吸口体の長手方向と一致する。また、吸口体の上下方向に関しては、吸口体を水平な床面上に置いた状態で、開口部１１８が形成された側を下面側、反対側を上面側と呼ぶ。また、吸口の進行方向側を正面側，後退方向側を背面側として説明する。
【００２３】
図２に本実施例による電気掃除機の外観図を示す。
【００２４】
２０１は後部に吸口体が集塵するのに必要な吸気風を発生させる電動送風機（図示せず）を内蔵し、前部には塵埃を集塵する集塵室（図示せず）を内蔵した掃除機本体、２０２は一端が掃除機本体２０１に接続され、柔軟に可動するように形成されたホース体、２０３は一端が前記ホース体２０２の他端に接続されて前記掃除機本体２０１や吸口体２０６を制御するスイッチ操作部２０４を内蔵した手元操作部、２０５は一端が手元操作部２０３の他端に接続された延長管である。
【００２５】
２０６は延長管２０５の他端に接続された吸口体であり、吸口体２０６から吸込んだ塵埃を、ホース体２０２、手元操作部２０３、延長管２０５で形成された流路を通して掃除機本体２０１の集塵室に集塵している。また、ホース体２０２と手元操作部２０３及び延長管２０５には、吸口体２０６に電気を供給する給電線（図示せず）が内蔵されている。
【００２６】
図３に本実施例による吸口体２０６を下から見たときの平面（下面図）を示す。また、図４（ａ）、図４（ｂ）に本実施例による主動軸継手３１７と係合する従動軸継手３１８の斜視図、さらに図５に各々の断面図を示す。
【００２７】
１１８は吸口体の下ケース１０１に設けられた床面開口部で、被清掃面に面する。３０１はバンパー、３００は固定刷毛、３０３は後方車輪である。１０７は吸口体を持ち上げたときに自動的に停止するための安全スイッチであり、１０７ａは被清掃面に接地されているかを検出するための床面検出車輪である。
【００２８】
３０４は、非駆動側軸受３１９０を覆う軸受押さえ部材であり、１２０は軸受押さえ部材３０４を吸口本体の下ケース１０１に着脱（開閉）可能に保持させる係止部材であり、吸口体の本体ケースの背面側に設置している。３０５は動力伝達軸受ユニット３１５を覆うユニット押さえ部材である。
【００２９】
動力伝達軸受ユニット３１５は、回転清掃体１０４の一端を着脱自在に保持し、且つ清掃体用駆動源である駆動用電動機１０５の駆動力を伝える。動力伝達軸受ユニット３１５は、吸口体の本体ケースに着脱自在に取り付けられている。ユニット押さえ部材３０５を開くと、動力伝達軸受ユニット３１５は吸口体の本体ケースから外しことができる。
【００３０】
非駆動側軸受３１９は、回転清掃体１０４の他端を回転自在に支持し、かつ吸口体の本体ケースに着脱自在に取り付けられている。図１２に示すようにして回転清掃体１０４は吸口体の本体ケースに脱着が行われる。
【００３１】
動力伝達軸受ユニット３１５は、図５，図４に示すように主動軸継手３１７、プーリー３１６を有する。隣接して設けられる主動軸継手３１７、プーリー３１６は軸３２１で連結固定される。プーリー３１６を両側から挟むように置かれる軸受部材３２０、３１９は軸３２１を回転自在に支持する。軸受材３２０、３１９は吸口体の本体ケースに着脱自在に取り付けられている。
【００３２】
プーリー３１６には、図１に示す減速プーリーである小プーリー１１０との間でベルトが掛け渡され、駆動用電動機１０５の回転はこれらの伝達機構を通じて回転清掃体１０４に伝達される。
【００３３】
主動軸継手３１７と従動軸継手３１８には、図５に示すように、凹凸の歯３１７ａと３１８ａを形成し、両者を噛み合わせることで係合している。凹凸の歯３１７ａは主動側係合部、凹凸の歯３１８ａは従動側係合部になる。この従動軸継手の軸方向端部に設けられる従動側係合部と主動軸継手の軸方向端部に設けられた主動側係合部は、互いが係合離脱するように対向配置されている。
【００３４】
回転清掃体１０４の清掃部材３０７，３０８（図３に示す）は、繊維等による刷毛の他、軟質のブレード状のものを用いて構成することができ、刷毛やブレードをそれぞれ単独で、或いは刷毛とブレードとを混在させて構成することができる。また、筒状基体３０６（図５に示す）を形成する部材で一体に成形した突出部で清掃部材を構成してもよい。いずれにしても、清掃部材は筒状基体３０６の外周面から外方に突出するように構成される。
【００３５】
ここで、前記従動軸継手３１８の外周は、図１３に示すように、主動軸継手３１７に向かって径小となるように傾斜している。また、主動軸継手３１７の外周も従動軸継手３１８に向かって径小となるように傾斜している。主動軸継手３１７および従動軸継手３１８の外径は、主動軸継手と従動軸継手の係合部位に向かって径小になるように傾斜している。この傾斜は主動軸継手３１７か、従動軸継手３１８の一方もすることも可能である。傾斜の傾きθ１、θ２は、5°以上（好ましくは１°〜１０°）が望ましい。また、主動軸継手と従動軸継手の係合部位では、図１３に示すように、主動軸継手側の外径を従動軸継手側の外径よりも径大にして段差Ｈができるようにしている。段差Ｈは１ｍｍ（好ましくは１ｍｍ〜３ｍｍ）が望ましい。
【００３６】
この傾斜した前記従動軸継手３１８の外周は、図４（ｂ）に示すように、リブ状の凸部により形成される断続的な形状でも良い。
【００３７】
さらに、前記主動軸継手３１７には、従動軸継手３１８の端部の外周より突出した凸部３１７ｂを設け、前記主動軸継手３１７の凸部３１７ｂの形状は図４（ａ）に示す例のように、少なくとも１箇所リブ状の凸部を設けても良いし、図４（ｂ）の様に全周に亘って凸部を設けても良い。
【００３８】
このように、主動軸継手３１７および従動軸継手３１８の外径は、主動軸継手と従動軸継手の係合部位に向かって径小になるように傾斜し、係合部位では主動軸継手側が従動軸継手側よりも外径が径大になっているので、回転清掃体１０４に絡みついた糸屑などがプーリー３１６に移ることが生じ難い。このため、回転清掃体の回転を阻害するロックを回避することができる。また、絡みついた塵埃を容易に除去することができる。
【００３９】
さらに、主動軸継手３１７は、主動側係合部の内側に窪んだ保持用受部を有する。保持用受部に従動側係合３１８の端部外周が嵌る。この嵌合により、回転清掃体１０４の従動軸継手側は動力伝達軸受ユニット３１５の主動軸継手部に保持される。動力伝達軸受ユニット３１５は、回転清掃体１０４に回転動力を伝えるとともに回転清掃体１０４の従動軸継手側の軸受をも兼ねるので、構成を簡単にすることができる。
【００４０】
図６に本実施例による動力伝達軸受ユニット３１５のプーリー３１６の斜視図を示す。３１６ａはプーリー３１６を挟んで両側に配設している軸受部材３１９、３２０（図５に示す）の軸受３２３、３２２を冷却するための放射状リブである。
【００４１】
図５に示すように、軸受３２３、３２２の高速回転によって発生する摩擦熱は、軸３２１を伝わって、軸受部３１９の端面が外部空気に触れることによって放熱し、冷却が行われている。本実施例では冷却効果を高めるために、プーリー部３１６に放射状のリブ３１６ａを設け、軸受部３１９との間で、空気を攪拌させ、外部空気へ熱を逃がしている。
【００４２】
したがって、外部空気との循環が効率良くなるので、軸受の温度上昇が起こらず、軸受の寿命劣化を防止できる。
【００４３】
図７に本実施例による係止部材１２０付近の分解斜視図を示す。
【００４４】
係止部材１２０は、吸口体の上ケース１００と下ケース１０１から張り出した支持部１００ａと１０１ａを回動軸とし、軸中心から一端側を開閉時の操作部１２０ａ，反対側を係止部１２０ｂとし、組み付けにより上下方向で支持し、係止部材１２０の抜け外れを規制している。この係止部材１２０の回動により、軸受押さえ部材３０４と吸口体２０６との開閉（着脱）が可能となる。
【００４５】
軸受押さえ部材３０４の内側側面には、係止部材１２０の係止部１２０ｂが出没できるスリット上の穴３０４ａを有し、先端には下ケース１０１と結合するための凹部（図示せず）を設けている。
【００４６】
次に本実施例の動作を説明する。
【００４７】
掃除機使用者が手元操作部２０３に設置されたスイッチ操作部２０４を操作すると、操作されたスイッチに従った動作モードで電気掃除機本体２０１内の電動送風機が運転する。
【００４８】
電動送風機によって発生した吸込負圧は、ホース体２０２，延長管２０５を介して吸口体２０６に作用する。それと同時に、ホース体２０２および延長管２０５に設けられた電源線から供給された電源が、回路基板１０６を介して電動機１０５を駆動する。
【００４９】
電動機１０５とプーリー，ベルトで連結している回転清掃体１０４が回転することにより、回転清掃体１０４の清掃部材である刷毛やブレードによって被掃除面からごみや塵埃を掻き出して吸い込んでいる。
【００５０】
ここで、図８に示すように、吸い込んだ塵埃が従動軸継手３１８に絡まる。
【００５１】
すなわち、回転清掃体１０４の清掃部材３０７は、糸屑などの繊維状のものや、髪の毛等が絡みつき易く、一旦絡みつくとこの種の塵埃は回転により徐々に蓄積され、清掃部材を固定する筒状基体に締め付けられたり、回転清掃体１０４に沿って端部方向に移動し、開口部１１８から吸込むことが出来ず、前記回転清掃体の側端部に集まったりするようになる。
【００５２】
前記回転清掃体の側端部に集まった塵埃４０１は、前記従動軸継手３１８に絡みつき、更に端部方向に移動しようとする。しかし、前述したように主動軸継手３１７と従動軸継手３１８の係合部位では前記主動軸継手と前記従動軸継手３１８の段差によって絡まった塵埃４０１の移動は妨げられ、前記従動軸継手３１８に絡みついた状態に留まる。
【００５３】
このため、動力伝達軸受ユニット３１５への塵埃４０１の入り込みによって回転清掃体がロック状態となることを抑えることが出来る。
【００５４】
前述した前記凸部３１７ｂと従動軸継手３１８との段差によって主動軸継手方向への移動を抑止された塵埃４０１は前記従動軸継手３１８に留まり、前記従動軸継手３１８に集められる。前記従動軸継手３１８の外周は、前記主動軸継手側に向かって径小となっているため、図８（ｂ）に示すように、前記回転清掃体１０４を吸口体２０６から離脱し、絡みついた塵埃４０１を端部方向に向かってスライドさせることにより、絡みついた塵埃４０１と前記従動軸継手３１８間のすき間が広がり、塵埃４０１を容易に従動軸継手３１８から取り除くことができる。
【００５５】
また、図８（ｃ）に示すように、主動軸継手３１７の外周に塵埃４０１が絡みつくことが生じても、前記主動軸継手３１７の外周を従動軸継手３１８と逆方向に傾斜させているので、主動軸継手３１７に絡みついた塵埃４０１も容易に除去することができる。
【００５６】
図９から図１２に従い、前記回転清掃体１０４に絡んだ糸屑などの繊維状のものや、髪の毛等を取り除く回転清掃体１０４のお手入れ方法について説明する。
【００５７】
まず、使用者がスイッチ操作部２０４の停止ボタンを押し、電気掃除機本体２０１の運転を停止した後、延長管から吸口体２０６を取り外す。
【００５８】
図９に示すように、吸口体の下面側を上方に向ける。係止部材１２０の操作部１２０ａに操作者の指を添え、吸口体中央側から外側に回動し、軸受押さえ部材３０４と係止部１２０ｂの係合を解除する。そして、図１０に示すように吸口体の下ケース１０１から軸受押さえ部材３０４を開け、図１１のように軸受押さえ部材３０４を外す。
【００５９】
次に、図１２のように、回転清掃体１０４の軸受部３１９側の清掃部材を摘み、上方に引き上げると、軸受部３１９が吸口体の軸支部から嵌脱され、次いで回転清掃体１０４を斜め上方に引き上げることにより、従動軸継手３１８が主動軸継手３１７との係合から解除され、回転清掃体１０４が吸口体２０６から離脱できる。
【００６０】
離脱した回転清掃体１０４の従動軸継手３１８に絡みついた塵埃は、端部方向に向かって指でスライドさせることにより、容易に除去することが可能であり、清掃部材３０７、３０８等に絡みついた塵埃は、はさみやカッターを用いて、除去作業を行う。この時、回転清掃体１０４は水洗いも可能である。
【００６１】
作業後は、上記の逆で、回転清掃体１０４を吸口体２０６に組み込むには、回転清掃体１０４の従動軸継手３１８の歯を吸口体内部の主動軸継手３１７の歯に挿入し、両者を噛み合わせることで係合させ、回転清掃体１０４の反対側の軸受部３１９を吸口体の軸支部に上方から押し込む。
【００６２】
次に、軸受押さえ部材３０４の凹部３０４ｂを吸口体の下ケース１０１の爪部１０１ｂに引っ掛け、軸受押さえ部材３０４を取り付け、外側にはみ出している係止部材１２０の操作部１２０ａを吸口体中央側に回転させ、軸受押さえ部材３０４と係止部１２０ｂに係合させればよい。
【００６３】
以上の構成により、糸屑などの絡まりによる回転清掃体１０４のロックが発生し難く、
また、回転清掃体に絡みついた糸屑などのごみを容易に除去することが可能である。
【００６４】
次に実施例２について図１４、図１５、図１６（ａ）、図１６（ｂ）を引用して説明する。
【００６５】
図１４に本実施例による主動軸継手３１７と係合する従動軸継手３１８の拡大図を示す。
【００６６】
ここで、従動軸継手３１８の外周は、主動軸継手３１７に向かって径大となるように傾斜している。また、実施例1と同様に、主動軸継手３１７の外周は、従動軸継手３１８に向かって径小となるように傾斜している。この傾斜は従動軸継手３１８のみとすることも可能である。主動軸継手の傾斜の傾きθ３は大きいほど良いが、実際の取り付けを考えると、５°以上（好ましくは５°〜３０°）が望ましい。また、実施例１と同じく、主動軸継手の外径を従動軸継手側の外径よりも径大にして段差Ｈができるようにしている。
【００６７】
更に、主動軸継手の凸部３１７ｂを従動軸継手３１８側に向かって伸ばすことによって、図１５の塵埃溜部３３０を形成しても良い。
【００６８】
本実施例では、回転清掃体１０４に絡みついた塵埃４０１は、回転清掃体に沿って端部方向に移動し、開口部１１８から吸い込むことが出来ず、回転清掃体１０４の側端部に集まる。
【００６９】
従動軸継手３１８に集まった塵埃４０１は、端部方向に移動しようとするが、従動軸継手３１８の傾斜によって移動が妨げられ、図１６（ａ）に示すように従動軸継手３１８に絡みすいた状態に留まる。
【００７０】
また、図１６（ｂ）に示すように、塵埃４０１の一部が従動軸継手３１８の傾斜を乗り越えて移動しようとしても、主動軸継手と従動軸継手の段差により生じる、塵埃溜部３３０に集まり、ねずみ返しの構造となっているため、塵埃４０１は端部方向に移動できず、主動軸継手３１７の外周までは至らない。
【００７１】
そのため、動力伝達軸受ユニット３１５への塵埃４０１の入り込みを抑えることができる。
【００７２】
上記の実施例は床移動型の掃除機だけでなく、アップライト型やスティック型の掃除にも適用できる。回転清掃体の駆動は、モータ駆動方式の吸口だけでなく、エアー駆動方式にも適用できる。
【図面の簡単な説明】
【００７３】
【図１】本発明の実施例に係るもので、吸口体の分解斜視図である。
【図２】本発明の実施例に係るもので、電気掃除機の外観図である。
【図３】本発明の実施例に係るもので、吸口体の下面図である。
【図４（ａ）】本発明の実施例に係るもので、従動軸継手と主動軸継手の斜視図である。
【図４（ｂ）】本発明の他の実施例に係るもので、従動軸継手と主動軸継手の斜視図である。
【図５】本発明の実施例に係るもので、従動軸継手と主動軸継手(動力伝達軸受ユニット)の断面図である。
【図６】本発明の実施例に係るもので、動力伝達軸受ユニットのプーリーを示す斜視図である。
【図７】本発明の実施例に係るもので、係止部材の装着状態を示す斜視図である。
【図８（ａ）】本発明の実施例に係るもので、塵埃が従動軸継手に絡まった状態を示す図である。
【図８（ｂ）】本発明の実施例に係るもので、塵埃が絡まっている従動軸継手から主動軸継手を離脱した状態を示す図である。
【図８（ｃ）】本発明の実施例に係るもので、塵埃が絡まっている主動軸継手から従動軸継手を離脱した状態を示す図である。
【図９】本発明の実施例に係るもので、吸口体の一部分を下面から見た斜視図である。
【図１０】本発明の実施例に係るもので、吸口体の部分を軸受押さえ部材が開かれた状態で下面から見た斜視図である。
【図１１】本発明の実施例に係るもので、吸口体の部分を軸受押さえ部材が離脱された状態で下面から見た斜視図である。
【図１２】本発明の実施例に係るもので、回転清掃体１０４の非駆動側が離脱された状態で吸口体を下面から見た斜視図である。
【図１３】本発明の実施例に係るもので、従動軸継手と主動軸継手の部分拡大図である。
【図１４】本発明の実施例２に係るもので、従動軸継手と主動軸継手の部分拡大図である。
【図１５】本発明の実施例２に係るもので、従動軸継手と主動軸継手〔動力伝達ユニット〕の断面図である。
【図１６（ａ）】本発明の実施例２に係るもので、塵埃が従動軸継手に絡まった状態を示す図である。
【図１６（ｂ）】本発明の実施例２に係るもので、塵埃が塵埃溜部に絡まった状態を示す図である。
【符号の説明】
【００７４】
１００…上ケース
１０１…下ケース
１０４…回転清掃体
１２０…係止部材
１２０ａ…操作部
１２０ｂ…係止部
２０１…掃除機本体
２０６…吸口体
３０４…軸受押さえ部材
３１５…動力伝達軸受ユニット
３１６…プーリー
３１６ａ…放射状リブ
３１７…主動軸継手
３１８…従動軸継手
３１７ａ，３１８ａ…係合歯
３１７ｂ…凸部
４０１…塵埃
３３０…塵埃溜部
【図１】
0005147475.tif 000002
【図２】
0005147475.tif 000003
【図３】
0005147475.tif 000004
【図４（ａ）】
0005147475.tif 000005
【図４（ｂ）】
0005147475.tif 000006
【図５】
0005147475.tif 000007
【図６】
0005147475.tif 000008
【図７】
0005147475.tif 000009
【図８（ａ）】
0005147475.tif 000010
【図８（ｂ）】
0005147475.tif 000011
【図８（ｃ）】
0005147475.tif 000012
【図９】
0005147475.tif 000013
【図１０】
0005147475.tif 000014
【図１１】
0005147475.tif 000015
【図１２】
0005147475.tif 000016
【図１３】
0005147475.tif 000017
【図１４】
0005147475.tif 000018
【図１５】
0005147475.tif 000019
【図１６（ａ）】
0005147475.tif 000020
【図１６（ｂ）】
0005147475.tif 000021